(57)【要約】  ブロック共重合体０．５質量部以上２０質量部以下と、アスファルト１００質量部と、を含有し、前記ブロック共重合体が、ビニル芳香族単量体単位を主体とする重合体ブロック（Ａ）、及び共役ジエン単量体単位とビニル芳香族単量体単位を含む共重合体ブロック（Ｂ）を有し、前記ブロック共重合体中の前記ビニル芳香族単量体単位の含有量が、２０質量％以上６０質量％以下であり、前記ブロック共重合体中の前記重合体ブロック（Ａ）の含有量が、１０質量％以上４０質量％以下であり、前記ブロック共重合体の前記共役ジエン単量体単位中の二重結合の水添率が、４０％以上１００％以下であり、前記アスファルトのコロイダルインデックスが、０．３０以上０．５４以下であり、かつ飽和分の含有量が１１質量％以下である、アスファルト組成物。【特許請求の範囲】
【請求項１】
ブロック共重合体０．５質量部以上２０質量部以下と、
アスファルト１００質量部と、を含有し、
前記ブロック共重合体が、ビニル芳香族単量体単位を主体とする重合体ブロック（Ａ）、及び共役ジエン単量体単位とビニル芳香族単量体単位を含む共重合体ブロック（Ｂ）を有し、前記ブロック共重合体中の前記ビニル芳香族単量体単位の含有量が、２０質量％以上６０質量％以下であり、
前記ブロック共重合体中の前記重合体ブロック（Ａ）の含有量が、１０質量％以上４０質量％以下であり、
前記ブロック共重合体の前記共役ジエン単量体単位中の二重結合の水添率が、４０％以上１００％以下であり、
前記アスファルトのコロイダルインデックス（（飽和分含有量＋アスファルテン分含有量）／（レジン分含有量＋芳香族分含有量））が、０．３０以上０．５４以下であり、かつ飽和分の含有量が１１質量％以下である、
アスファルト組成物。
【請求項２】
前記ブロック共重合体が、動的粘弾性のスペクトルにおいて、−７０℃以上０℃以下の範囲に損失正接のピークトップを有し、前記ピークトップの値が、０．７以上２．０以下である、請求項１に記載のアスファルト組成物。
【請求項３】
前記ブロック共重合体が、動的粘弾性のスペクトルにおいて、−４５℃以上−２０℃以下の範囲に損失正接のピークトップを有する、請求項１又は２に記載のアスファルト組成物。
【請求項４】
前記アスファルトのコロイダルインデックス（Ｃｉ）と、前記ブロック共重合体の動的粘弾性のスペクトルにおける損失正接のピーク温度（Ｔｇ（℃））と、が以下の関係を満たす、請求項１〜３のいずれか一項に記載のアスファルト組成物。
Ｃｉ≦０．０１２７×Ｔｇ＋０．９４
【請求項５】
前記ブロック共重合体の前記共役ジエン単量体単位中の二重結合の水添率が、５０％以上９０％以下である、請求項１〜４に記載のいずれか一項に記載のアスファルト組成物。
【請求項６】
前記ブロック共重合体の前記共役ジエン単量体単位中の二重結合の水添率が、６０％以上９０％以下である、請求項１〜５のいずれか一項に記載のアスファルト組成物。
【請求項７】
前記ブロック共重合体の前記共役ジエン単量体単位が、１，２−結合及び／又は３，４−結合に由来する共役ジエン単量体単位（ａ）と、１，４−結合に由来する共役ジエン単量体単位（ｂ）と、からなり、
前記共役ジエン単量体単位の総含有量を１００質量％とした場合に、
前記共役ジエン単量体単位（ａ）が水添されたアルケニル単量体単位（ａ１）の含有量が、１０質量％以上５０質量％以下であり、
前記共役ジエン単量体単位（ｂ）が水添されたアルケニル単量体単位（ｂ１）の含有量が、０質量％以上８０質量％以下であり、
水添後に水添されていない共役ジエン単量体単位（ａ２）と水添後に水添されていない共役ジエン単量体単位（ｂ２）の含有量の和が、０質量％以上９０質量％以下である、請求項１〜６のいずれか一項に記載のアスファルト組成物。
【請求項８】
前記ブロック共重合体の重量平均分子量が、５００００以上３０００００以下である、請求項１〜７のいずれか一項に記載のアスファルト組成物。
【請求項９】
前記ブロック共重合体が、水酸基、酸無水物基、エポキシ基、アミノ基、アミド基、シラノール基、及びアルコキシシラン基からなる群から選択される少なくとも一つの官能基を有する、請求項１〜８のいずれか一項に記載のアスファルト組成物。
【請求項１０】
前記ブロック共重合体の前記共役ジエン単量体単位の総含有量に対して、１，２−結合及び／又は３，４−結合に由来する共役ジエン単量体単位（ａ）の含有量が、１０質量％以上５０質量％以下である、請求項１〜９のいずれかに記載のアスファルト組成物。
【請求項１１】
前記アスファルトの針入度が、６０を超え、８０以下である、請求項１〜１０のいずれか一項に記載のアスファルト組成物。
【発明の詳細な説明】
【技術分野】
【０００１】
本発明は、アスファルト組成物に関する。
【背景技術】
【０００２】
従来、アスファルト組成物は、道路舗装、遮音シート、アスファルトルーフィング等の用途に広く利用されている。このようなアスファルト組成物には、用途に応じた性能を付加するために種々のポリマーが添加される。例えば、エチレン−酢酸ビニル共重合体、エチレン−エチルアクリレート共重合体、ゴムラテックス、共役ジエンとビニル芳香族炭化水素とからなるブロック共重合体等が添加されている。【０００３】
近年、道路通行車両の増大、あるいは車両の高速化といった事情に伴って、優れた強度、耐流動性、耐摩耗性を有するアスファルト組成物の要求がますます高まっている。このため、軟化点がより高く、弾性率等の機械的強度が高いアスファルト組成物が必要とされてきており、上記各種共重合体の分子量を上げることにより改良を図る試みがなされている。【０００４】
しかしながら、高温貯蔵時の貯蔵安定性に関して十分な性能が得られず、また、溶融粘度が高くなり道路舗装時の施工性も劣化するという問題を生じている。【０００５】
このため、アロマ系オイルを添加したり、硫黄や過酸化物を添加し架橋を行ったりすることにより、貯蔵安定性の改良が図られている。【０００６】
例えば、硫黄の使用（例えば、特許文献１参照。）、また硫黄と加硫剤、さらには硫黄含有加硫促進剤の併用を行う技術が開示されている（例えば、特許文献２参照。）。【０００７】
また、特殊構造を有する共役ジエンとビニル芳香族炭化水素とからなる共重合体を用いたアスファルト組成物についての開示もなされている（例えば、特許文献３参照。）。【０００８】
また、ビニル芳香族炭化水素と共役ジエンとからなるブロック共重合体にフィラーを含有するルーフィングシングル用アスファルト組成物についての開示もなされている（例えば、特許文献４参照。）。【０００９】
さらに、ビニル芳香族炭化水素と共役ジエンとからなるブロック共重合体に、水素を添加した水添共重合体を用いたアスファルト組成物についても開示されている（例えば、特許文献５参照。）。
【先行技術文献】
【特許文献】
【００１０】
【特許文献１】特公昭５７−２４３８５号公報
【特許文献２】特開平３−５０１０３５号公報
【特許文献３】米国特許出願公開第２００３／０１４９１４０号明細書
【特許文献４】米国特許第６，１２０，９１３号明細書
【特許文献５】特開２００３−２３８８１３号公報
【発明の概要】
【発明が解決しようとする課題】
【００１１】
しかしながら、特許文献１、２に開示されている改良方法においても、未だ高温貯蔵時の貯蔵安定性について、満足できる結果が得られておらず、さらなる改良が望まれている。【００１２】
また、特許文献３に開示されている組成物は、軟化点、高温貯蔵安定性の特性バランスにおいて不十分であり、伸度にも劣るという問題を有している。【００１３】
また、特許文献４に開示されている組成物は、通常のビニル芳香族炭化水素と共役ジエンとからなるブロック共重合体を使用しているため、高温貯蔵安定性が不十分であることから、アスファルト防水シートのシングルとして用いることができないという問題を有している。【００１４】
さらに、特許文献５に開示されている組成物は、ビニル芳香族化合物の含有量が多いため、高温貯蔵安定性が優れるものの、軟化点、伸度において十分な特性が得られず、道路舗装用として用いることができないという問題を有している。【００１５】
一方、アスファルトは、原油の産地、精製所によって、Ａ：飽和分、Ｂ：アスファルテン分、Ｃ：レジン分、Ｄ：芳香族分の４成分の比率が異なることが知られている。ポリマーの構造によって、これらの成分の違いがアスファルト組成物の物性に大きく影響を与え、軟化点が低く、高温貯蔵後の軟化点変化から判断できる高温貯蔵安定性が不十分であったり、耐わだち掘れ性や溶解性が劣ったりとするという問題がある。【００１６】
本発明は、上記問題点に鑑みてなされたものであり、軟化点、伸度が高く、溶融粘度が低く、また、耐わだち掘れ性、高温貯蔵安定性に優れるアスファルト組成物を提供することを目的とする。
【課題を解決するための手段】
【００１７】
本発明者らは、上記課題を解決するため鋭意検討を行った結果、特定の構造を有するブロック共重合体と特定の組成のアスファルトからなる組成物であれば、上記課題を解決できることを見出し、本発明を完成した。【００１８】
すなわち、本発明は、以下の通りである。
〔１〕
ブロック共重合体０．５質量部以上２０質量部以下と、
アスファルト１００質量部と、を含有し、
前記ブロック共重合体が、ビニル芳香族単量体単位を主体とする重合体ブロック（Ａ）、及び共役ジエン単量体単位とビニル芳香族単量体単位を含む共重合体ブロック（Ｂ）を有し、前記ブロック共重合体中の前記ビニル芳香族単量体単位の含有量が、２０質量％以上６０質量％以下であり、
前記ブロック共重合体中の前記重合体ブロック（Ａ）の含有量が、１０質量％以上４０質量％以下であり、
前記ブロック共重合体の前記共役ジエン単量体単位中の二重結合の水添率が、４０％以上１００％以下であり、
前記アスファルトのコロイダルインデックス（（飽和分含有量＋アスファルテン分含有量）／（レジン分含有量＋芳香族分含有量））が、０．３０以上０．５４以下であり、かつ飽和分の含有量が１１質量％以下である、
アスファルト組成物。
〔２〕
前記ブロック共重合体が、動的粘弾性のスペクトルにおいて、−７０℃以上０℃以下の範囲に損失正接のピークトップを有し、前記ピークトップの値が、０．７以上２．０以下である、前項〔１〕に記載のアスファルト組成物。
〔３〕
前記ブロック共重合体が、動的粘弾性のスペクトルにおいて、−４５℃以上−２０℃以下の範囲に損失正接のピークトップを有する、前項〔１〕又は〔２〕に記載のアスファルト組成物。
〔４〕
前記アスファルトのコロイダルインデックス（Ｃｉ）と、前記ブロック共重合体の動的粘弾性のスペクトルにおける損失正接のピーク温度（Ｔｇ（℃））と、が以下の関係を満たす、前項〔１〕〜〔３〕のいずれか一項に記載のアスファルト組成物。
Ｃｉ≦０．０１２７×Ｔｇ＋０．９４
〔５〕
前記ブロック共重合体の前記共役ジエン単量体単位中の二重結合の水添率が、５０％以上９０％以下である、前項〔１〕〜〔４〕に記載のいずれか一項に記載のアスファルト組成物。
〔６〕
前記ブロック共重合体の前記共役ジエン単量体単位中の二重結合の水添率が、６０％以上９０％以下である、前項〔１〕〜〔５〕のいずれか一項に記載のアスファルト組成物。
〔７〕
前記ブロック共重合体の前記共役ジエン単量体単位が、１，２−結合及び／又は３，４−結合に由来する共役ジエン単量体単位（ａ）と、１，４−結合に由来する共役ジエン単量体単位（ｂ）と、からなり、
前記共役ジエン単量体単位の総含有量を１００質量％とした場合に、
前記共役ジエン単量体単位（ａ）が水添されたアルケニル単量体単位（ａ１）の含有量が、１０質量％以上５０質量％以下であり、
前記共役ジエン単量体単位（ｂ）が水添されたアルケニル単量体単位（ｂ１）の含有量が、０質量％以上８０質量％以下であり、
水添後に水添されていない共役ジエン単量体単位（ａ２）と水添後に水添されていない共役ジエン単量体単位（ｂ２）の含有量の和が、０質量％以上９０質量％以下である、前項〔１〕〜〔６〕のいずれか一項に記載のアスファルト組成物。
〔８〕
前記ブロック共重合体の重量平均分子量が、５００００以上３０００００以下である、前項〔１〕〜〔７〕のいずれか一項に記載のアスファルト組成物。
〔９〕
前記ブロック共重合体が、水酸基、酸無水物基、エポキシ基、アミノ基、アミド基、シラノール基、及びアルコキシシラン基からなる群から選択される少なくとも一つの官能基を有する、前項〔１〕〜〔８〕のいずれか一項に記載のアスファルト組成物。
〔１０〕
前記ブロック共重合体の前記共役ジエン単量体単位の総含有量に対して、１，２−結合及び／又は３，４−結合に由来する共役ジエン単量体単位（ａ）の含有量が、１０質量％以上５０質量％以下である、前項〔１〕〜〔９〕のいずれかに記載のアスファルト組成物。
〔１１〕
前記アスファルトの針入度が、６０を超え、８０以下である、前項〔１〕〜〔１０〕のいずれか一項に記載のアスファルト組成物。
【発明の効果】
【００１９】
本発明によれば、軟化点、伸度が高く、溶融粘度が低く、また、耐わだち掘れ性、高温貯蔵安定性に優れるアスファルト組成物を提供することができる。
【発明を実施するための形態】
【００２０】
以下、本発明を実施するための形態（以下、「本実施形態」という）について、詳細に説明する。本発明は以下の本実施形態に限定されるものではなく、その要旨の範囲内で種々変形して実施できる。
【００２１】
〔アスファルト組成物〕
本実施形態のアスファルト組成物は、
ブロック共重合体０．５質量部以上２０質量部以下と、
アスファルト１００質量部と、を含有し、
前記ブロック共重合体が、ビニル芳香族単量体単位を主体とする重合体ブロック（Ａ）、及び共役ジエン単量体単位とビニル芳香族単量体単位を含む共重合体ブロック（Ｂ）を有し、
前記ブロック共重合体中の前記ビニル芳香族単量体単位の含有量が、２０質量％以上６０質量％以下であり、
前記ブロック共重合体中の前記重合体ブロック（Ａ）の含有量が、１０質量％以上４０質量％以下であり、
前記ブロック共重合体の前記共役ジエン単量体単位中の二重結合の水添率が、４０％以上１００％以下であり、
前記アスファルトのコロイダルインデックス（（飽和分含有量＋アスファルテン分含有量）／（レジン分含有量＋芳香族分含有量））が、０．３０以上０．５４以下であり、かつ飽和分の含有量が１１質量％以下である。
【００２２】
〔ブロック共重合体〕
本実施形態のブロック共重合体は、ビニル芳香族単量体単位を主体とする重合体ブロック（Ａ）、及び共役ジエン単量体単位とビニル芳香族単量体単位を含む共重合体ブロック（Ｂ）を有し、前記ビニル芳香族単量体単位の含有量が、２０質量％以上６０質量％以下であり、前記重合体ブロック（Ａ）の含有量が、１０質量％以上４０質量％以下であり、前記共役ジエン単量体単位中の二重結合の水添率が、４０％以上１００％以下である。
【００２３】
本実施形態において、「共役ジエン単量体単位」とは、共役ジエン化合物が重合した結果生じる、共役ジエン化合物１個当たりの単位である。なお、本明細書中、共役ジエン単量体単位は、水添前後に係らず「共役ジエン単量体単位」と称する。
【００２４】
共役ジエン化合物は一対の共役二重結合を有するジオレフィンである。共役ジエン化合物としては、特に限定されないが、例えば、１，３−ブタジエン、２−メチル−１，３−ブタジエン（イソプレン）、２，３−ジメチル−１，３−ブタジエン、１，３−ペンタジエン、２−メチル−１，３−ペンタジエン、１，３−ヘキサジエン等が挙げられる。中でも、好ましくは１，３−ブタジエン及びイソプレンである。共役ジエン化合物は一種のみならず二種以上を使用してもよい。
【００２５】
本実施形態において、「ビニル芳香族単量体単位」とは、ビニル芳香族化合物が重合した結果生じる、ビニル芳香族化合物１個当たりの単位である。
【００２６】
ビニル芳香族化合物としては、特に限定されないが、例えば、スチレン、α−メチルスチレン、ｐ−メチルスチレン、ジビニルベンゼン、１，１−ジフェニルエチレン、Ｎ，Ｎ−ジメチル−ｐ−アミノエチルスチレン、Ｎ，Ｎ−ジエチル−ｐ−アミノエチルスチレン等が挙げられる。ビニル芳香族化合物は一種のみならず二種以上を使用してもよい。
【００２７】
〔重合体ブロック（Ａ）〕
本実施形態において、重合体ブロック（Ａ）とは、ビニル芳香族単量体単位を主体とするブロックである。ここで「主体とする」とは、重合体ブロック（Ａ）中にビニル芳香族単量体単位を、９５質量％を超えて、１００質量％以下含むことをいい、好ましくは９６質量％以上１００質量％以下含むことをいい、より好ましくは９７質量％以上１００質量％以下含むことをいう。
【００２８】
重合体ブロック（Ａ）の含有量は、ブロック共重合体全体に対して、１０質量％以上４０質量％以下であり、好ましくは１３質量％以上３５質量％以下であり、より好ましくは２０質量％以上３０質量％以下であり、さらに好ましくは１７質量％以上２２質量％以下である。重合体中の重合体ブロック（Ａ）の含有量が上記範囲内にあることにより、軟化点、及び高温貯蔵安定性がより向上する。
【００２９】
本実施形態において、重合体ブロック（Ａ）の含有量は、四酸化オスミウムを触媒として重合体をターシャリーブチルハイドロパーオキサイドにより酸化分解する方法（Ｉ．Ｍ．ＫＯＬＴＨＯＦＦ，ｅｔ．ａｌ，Ｊ．Ｐｏｌｙｍ．Ｓｃｉ．１，ｐ．４２９（１９４６）に記載の方法）で求めたビニル芳香族重合体ブロック成分の質量（但し、平均重合度が約３０以下のビニル芳香族重合体ブロック成分は除かれている）を用いて、次の式から求めることができる。
重合体ブロック（Ａ）の含有量（質量％）＝（ビニル芳香族重合体ブロック成分の質量／重合体の質量）×１００
【００３０】
重合体が水添されている場合の、重合体中の重合体ブロック（Ａ）の含有量は水添前の重合体ブロック（Ａ）の重合体に対する含有量とほぼ等しいので、本実施形態においては、重合体が水添されている場合の重合体中の重合体ブロック（Ａ）の含有量は、水添前の重合体ブロック（Ａ）の含有量として求めてもよい。
【００３１】
〔重合体ブロック（Ｂ）〕
本実施形態において、共重合体ブロック（Ｂ）とは、共役ジエン単量体単位とビニル芳香族単量体単位を含むブロックであり、好ましくはビニル芳香族単量体単位の含有量が５質量％以上９５質量％以下であるブロックである。
【００３２】
本実施形態において、共重合体ブロック（Ｂ）中のビニル芳香族単量体単位の含有量は、アスファルト組成物の軟化点、耐わだち掘れ性（Ｇ＊／ｓｉｎδ）の観点から、好ましくは５質量％以上であり、より好ましくは２０質量％以上であり、さらに好ましくは２５質量％以上である。また、共重合体ブロック（Ｂ）中のビニル芳香族単量体単位の含有量は、アスファルト組成物の高温貯蔵安定性、伸度の観点から、好ましくは９５質量％以下であり、より好ましくは５０質量％以下であり、さらに好ましくは３５質量％以下であり、よりさらに好ましくは３０質量％以下である。
【００３３】
なお、共重合体ブロック（Ｂ）中のビニル芳香族単量体単位の含有量（ＲＳ）は、ブロック共重合体中のビニル芳香族単量体単位の含有量（ＴＳ）から、上記重合体ブロック（Ａ）の含有量（ＢＳ）を除して求めることができる。
ＲＳ（％）＝（ＴＳ−ＢＳ）／（１００−ＢＳ）×１００
【００３４】
耐わだち掘れ性は、通常、実際の道路舗装と同様の骨材を含む配合物をホイールトラッキング試験で求める動的安定度（ＤＳ値）で判断されるが、本実施形態のアスファルト組成物の場合、後述する実施例記載の動的安定度の指標であるＧ＊／ｓｉｎδの値を測定し、耐わだち掘れ性を判断することができる。
【００３５】
共重合体ブロック（Ｂ）はランダムブロックであることが好ましい。ここで「ランダム」とはブロック共重合体中のビニル芳香族単量体単位の連続が１０個以下である状態をいう。
【００３６】
共重合体ブロック（Ｂ）の含有量は、ブロック共重合体に対して、好ましくは６０質量％以上９０質量％以下であり、より好ましくは６５質量％以上８５質量％以下であり、さらに好ましくは７０質量％以上８０質量％以下である。ブロック共重合体中の共重合体ブロック（Ｂ）の含有量が上記範囲内にあることにより、ブロック共重合体のアスファルト組成物における溶解性、及び軟化点がより向上する傾向にある。
【００３７】
本実施形態における共重合体ブロック（Ｂ）中の短連鎖ビニル芳香族単量体重合部分の含有量は、重合体ブロック（Ｂ）中のビニル芳香族単量体単位の含有量１００質量％に対して、好ましくは５０質量％以上であり、より好ましくは７０質量％以上であり、さらに好ましくは８０質量％以上であり、よりさらに好ましくは９０質量％以上である。また、共重合体ブロック（Ｂ）中の短連鎖ビニル芳香族単量体重合部分の含有量の上限は、特に限定されないが、好ましくは１００質量％以下であり、より好ましくは９９質量％以下である。重合体ブロック（Ｂ）中の短連鎖ビニル芳香族単量体重合部分の含有量が上記範囲内であることにより、ブロック共重合体とアスファルトとの相溶性、伸度、高温貯蔵安定性がより向上する傾向にある。
【００３８】
ここで、「短連鎖ビニル芳香族単量体重合部分」とは、重合体ブロック（Ｂ）中の２〜６個のビニル芳香族単量体単位からなる成分である。そして、短連鎖ビニル芳香族単量体重合部分の含有量は、重合体ブロック（Ｂ）中のビニル芳香族単量体単位の含有量を１００質量％とし、その中で２〜６個繋がったビニル芳香族単量体単位の含有量として求められる。
【００３９】
また、２個繋がったビニル芳香族単量体単位の含有量は、重合体ブロック（Ｂ）中のビニル芳香族単量体単位の含有量１００質量％に対して、好ましくは１０質量％以上４５質量％以下であり、より好ましくは１３質量％以上４２質量％以下であり、さらに好ましくは１９質量％以上３６質量％以下である。２個繋がったビニル芳香族単量体単位の含有量が上記範囲内であることにより、ブロック共重合体とアスファルトとの相溶性、伸度、高温貯蔵安定性がより向上する傾向にある。
【００４０】
さらに、３個繋がったビニル芳香族単量体単位の含有量は、重合体ブロック（Ｂ）中のビニル芳香族単量体単位の含有量１００質量％に対して、好ましくは４５質量％以上８０質量％以下であり、より好ましくは４５質量％以上７５質量％以下であり、さらに好ましくは４５質量％以上６５質量％以下である。３個繋がったビニル芳香族単量体単位の含有量が上記範囲内であることにより、ブロック共重合体とアスファルトとの相溶性、伸度、高温貯蔵安定性がより向上する傾向にある。
【００４１】
本実施形態において、ビニル芳香族単量体単位の含有量は、ブロック共重合体に対して、２０質量％以上６０質量％以下であり、好ましくは３３質量％以上５５質量％以下であり、より好ましくは３７質量％以上４８質量％以下であり、さらに好ましくは４０質量％以上４５質量％以下である。ブロック共重合体中のビニル芳香族単量体単位の含有量が上記範囲内であることにより、軟化点、伸度、アスファルト組成物の軟化点と伸度のバランスがより向上する。なお、ビニル芳香族単量体単位の含有量は、後述する実施例記載の方法で測定することができる。
【００４２】
ブロック共重合体が水添されている場合の、ブロック共重合体に対するビニル芳香族単量体単位の含有量は、水添前のブロック共重合体に対するビニル芳香族単量体単位の含有量とほぼ等しいので、ブロック共重合体が水添されている場合のビニル芳香族単量体単位の含有量は、水添前のビニル芳香族単量体単位の含有量として求めてもよい。
【００４３】
本実施形態において、共役ジエン単量体単位の総含有量中の水添されている共役ジエン単量体単位の含有量である水添率（モル％）、すなわち、共役ジエン単量体単位中の二重結合の水添率は、４０％以上１００％以下であり、好ましくは４０％以上９５％以下であり、より好ましくは５０％以上９０％以下であり、より好ましくは６０％以上９０％以下である。ブロック共重合体中の水添率が上記範囲であることにより、アスファルトとの相容性が優れ、軟化点、伸度及び高温貯蔵安定性の性能バランスが優れる。本実施形態において水添率は、後述する実施例記載の方法で求めることができる。
【００４４】
ブロック共重合体は、動的粘弾性のスペクトルにおいて、−７０℃以上０℃以下の範囲に損失正接のピークトップを有し、前記ピークトップの値が０．７以上２．０以下であることが好ましい。アスファルト組成物の軟化点、伸度、及び耐わだち掘れ性（Ｇ＊／ｓｉｎδ）の性能バランスがより向上する傾向にある。
【００４５】
アスファルト組成物の軟化点と伸度及び耐わだち掘れ性（Ｇ＊／ｓｉｎδ）の性能バランスの観点から、損失正接のピークトップの範囲は、より好ましくは−５０℃以上−１０℃以下であり、さらに好ましくは−４５℃以上−２０℃以下である。
【００４６】
また、アスファルト組成物の軟化点と伸度の観点から、ピークトップの値は、より好ましくは０．８以上１．６以下であり、さらに好ましくは０．９以上１．４以下であり、よりさらに好ましくは１．０以上１．３以下である。上記、ｔａｎδピーク高さや温度は、後述する実施例記載の方法により求めることができる。
【００４７】
ｔａｎδピーク温度は、例えば共重合体ブロック（Ｂ）中のビニル芳香族単量体単位と共役ジエン単量体単位の含有量の比率、共役ジエン化合物のミクロ構造、水添率等を制御することにより、−７０℃以上０℃以下の範囲にｔａｎδのピークトップを有するように調整することができる。例えば共重合体ブロック（Ｂ）中のビニル芳香族単量体単位の比率を上げるとｔａｎδのピークトップは高温側に有する傾向にあり、ビニル芳香族単量体単位の比率を下げるとｔａｎδのピークトップは低温側に有する傾向にある。
【００４８】
また、共重合体ブロック（Ｂ）の重合において温度と各単量体の添加時間もしくは添加回数を制御することにより、ピークトップの値を０．７以上２．０以下に調整することができる。具体的には、反応器内温を５６〜９０℃の範囲内で、反応器内圧を０．１ＭＰａ〜０．５０ＭＰａの範囲内で、かつ一定速度で添加する共役ジエン単量体とビニル芳香族単量体の添加時間を１０〜６０分の範囲内もしくは、添加回数を３回以上とする。また、別の方法として、水添反応時の温度にも依存する傾向があり、上記いずれかの方法に加えて水添反応時の温度を８０℃以上１２０℃以下にするとピークトップの値が０．７以上２．０以下に近づく傾向がある。
【００４９】
本実施形態において、共役ジエン単量体単位は１，２−結合及び／又は３，４−結合に由来する共役ジエン単量体単位（ａ）と１，４−結合に由来する共役ジエン単量体単位（ｂ）からなる。
【００５０】
ここで「１，２−結合及び／又は３，４−結合に由来する共役ジエン単量体単位（ａ）」とは、共役ジエン化合物が１，２−結合及び／又は３，４−結合で重合した結果生じる、共役ジエン化合物１個当たりの単位である。また「１，４−結合に由来する共役ジエン単量体単位（ｂ）」とは、共役ジエン化合物が１，４−結合で重合した結果生じる、共役ジエン化合物１個当たりの単位である。
【００５１】
ブロック共重合体中の共役ジエン単量体単位の総含有量に対する、共役ジエン単量体単位（ａ）の含有量（以下、ビニル結合量ともいう）は、アスファルト組成物の軟化点と伸度の性能バランスの観点から、好ましくは１０質量％以上５０質量％以下であり、より好ましくは１５質量％以上４５質量％以下であり、さらに好ましくは２０質量％以上４０質量％以下である。
【００５２】
本実施形態において、共役ジエン単量体単位の総含有量を１００質量％とした場合に、共役ジエン単量体単位（ａ）が水添されたアルケニル単量体単位（ａ１）の含有量は、１０質量％以上５０質量％以下であり、共役ジエン単量体単位（ｂ）が水添されたアルケニル単量体単位（ｂ１）の含有量は、０質量％以上８０質量％以下であり、水添後に水添されていない共役ジエン単量体単位（ａ２）と水添後に水添されていない共役ジエン単量体単位（ｂ２）の含有量の和が０質量％以上９０質量％以下であることが好ましい。このようなブロック共重合体を用いることにより、アスファルト組成物の軟化点と伸度の性能バランスがより向上する傾向にある。
【００５３】
アスファルト組成物の軟化点と伸度の性能バランスの観点から、アルケニル単量体単位（ａ１）の含有量は、好ましくは１５質量％以上４５質量％以下であり、より好ましくは２０質量％以上４０質量％以下である。
【００５４】
また、アスファルト組成物の軟化点と伸度の性能バランスの観点から、アルケニル単量体単位（ｂ１）の含有量は、好ましくは１０質量％以上７０質量％以下であり、より好ましくは１５質量％以上６５質量％以下であり、さらに好ましくは３０質量％以上６５質量％以下である。
【００５５】
さらに、アスファルト組成物の軟化点と伸度の性能バランスの観点から、共役ジエン単量体単位（ａ２）と共役ジエン単量体単位（ｂ２）の含有量の和は、好ましくは０質量％以上８０質量％以下であり、より好ましくは５質量％以上７０質量％以下であり、さらに好ましくは１０質量％以上６０質量％以下である。
【００５６】
共役ジエン単量体単位（ａ）が水添されたアルケニル単量体単位（ａ１）の含有量、共役ジエン単量体単位（ｂ）が水添されたアルケニル単量体単位（ｂ１）の含有量、水添されなかったアルケニル単量体単位（ａ２）の含有量、水添されなかったアルケニル単量体単位（ｂ２）の含有量は、後述する実施例記載の方法で求めることができる。
【００５７】
ブロック共重合体における水添前の共役ジエン単量体単位（ａ）の含有量及び共役ジエン単量体単位のミクロ構造（シス、トランスとビニルの比率）は、後述する極性化合物等の使用により調整することができる。
【００５８】
本実施形態に用いるブロック共重合体は、アスファルト組成物の高い伸度、高い伸長回復性および５℃等の低温での高い伸度の点で、水酸基、酸無水物基、エポキシ基、アミノ基、アミド基、シラノール基、及びアルコキシシラン基からなる群から選択される少なくとも一つの官能基を有することが好ましい。この中でも、ブロック共重合体が、アミノ基、及びアミド基からなる群から選択される少なくとも一つの官能基を有することがより好ましく、アミノ基を有することがさらに好ましい。ブロック共重合体は、その分子１ｍｏｌに対して、アミノ基、及びアミド基からなる群から選択される少なくとも一つの官能基を２ｍｏｌ以上含有することがより好ましい。なお、上記官能基は、後述するブロック共重合体の製造方法により導入することができる。
【００５９】
本実施形態において、ブロック共重合体のメルトフローレート（ＭＦＲ）は、好ましくは０．０５以上１０以下であり、より好ましくは０．０５以上８以下であり、さらに好ましくは０．０５以上６以下である。ブロック共重合体のＭＦＲが上記範囲内であることにより、アスファルト組成物の加工性と軟化点のバランスに優れる傾向にある。ＭＦＲの測定は、水添ブロック共重合体を使用し、メルトインデクサー（Ｌ２４７；ＴＥＣＨＮＯＬＳＥＶＥＮ  ＣＯ．，ＬＴＤ製）を用い、ＪＩＳ  Ｋ７２１０に準じた方法により算出することができる。試験温度が２３０℃、試験荷重が２．１６ｋｇｆであり、測定値の単位はｇ／１０分間のＬ条件で測定することが好ましい。
【００６０】
本実施形態において、アスファルト組成物の軟化点と溶融粘度のバランスの観点から、ブロック共重合体の重量平均分子量（Ｍｗ）は、好ましくは５００００以上３０００００以下であり、より好ましくは６００００以上２８００００以下であり、さらに好ましくは７００００以上２６００００以下であり、よりさらに好ましくは７００００以上２０００００未満である。
【００６１】
本実施形態において、アスファルト組成物の軟化点と溶融粘度のバランスの観点から、ブロック共重合体の分子量分布（Ｍｗ／Ｍｎ）（重量平均分子量（Ｍｗ）の数平均分子量（Ｍｎ）に対する比）は、好ましくは２．０以下であり、より好ましくは１．８以下であり、さらに好ましくは１．５以下である。
【００６２】
重量平均分子量及び分子量分布は、後述する実施例記載の方法で求めることができる。ブロック共重合体が水添されている場合の、重量平均分子量および分子量分布は水添前のブロック共重合体の重量平均分子量及び分子量分布とほぼ等しいので、ブロック共重合体が水添されている場合の重量平均分子量及び分子量分布は、水添前のブロック共重合体の重量平均分子量及び分子量分布を求めてもよい。
【００６３】
本実施形態において、ブロック共重合体の構造に関しては、いかなる構造のものでも使用できる。例えば、下記式で表されるような構造を有するものが挙げられる。
（Ａ−Ｂ）ｎ＋１、Ａ−（Ｂ−Ａ）ｎ、Ｂ−（Ａ−Ｂ）ｎ＋１、［（Ａ−Ｂ）ｎ］ｍ−Ｘ
、［（Ｂ−Ａ）ｎ−Ｂ］ｍ−Ｘ、［（Ａ−Ｂ）ｎ−Ａ］ｍ−Ｘ、［（Ｂ−Ａ）ｎ＋１］ｍ
−Ｘ
（上記式において、各Ａはそれぞれ独立して重合体ブロック（Ａ）を表す。各Ｂはそれぞれ独立して共重合体ブロック（Ｂ）を表す。各ｎはそれぞれ独立して１以上の整数であり、好ましくは１〜５の整数である。各ｍはそれぞれ独立して２以上の整数であり、好ましくは２〜１１の整数である。各Ｘはそれぞれ独立してカップリング剤の残基又は多官能開始剤の残基を表す。）
【００６４】
ブロック共重合体は、上記式で表される構造を有するものの任意の混合物であってもよい。これらの中でも、Ａ−Ｂ−Ａ構造がアスファルトバインダ性能のバランスの点から好ましい。
【００６５】
本実施形態において、共重合体ブロック（Ｂ）中のビニル芳香族単量体単位は、均一に分布していてもよいし、テーパー状、階段状、凸状、あるいは凹状に分布していてもよい。ここで、「テーパー構造」とは、共重合体ブロック（Ｂ）中のポリマー鎖に沿って、ビニル芳香族単量体単位の含有量が漸増する構造を意味する。共重合体ブロック（Ｂ）の重合開始直後の共重合体ブロック（Ｂ）中のビニル芳香族単量体単位の含有量をＳ１、重合途中、例えば導入した単量体の１／２が重合した時点での共重合体中のビニル芳香族単量体単位の含有量をＳ２、重合完了後の共重合体ブロック（Ｂ）中のビニル芳香族単量体単位の含有量をＳ３とした場合、Ｓ２／Ｓ１＞１且つＳ３／Ｓ２＞１の関係が成り立つ構造である。
【００６６】
共重合体ブロック（Ｂ）には、ビニル芳香族単量体単位が均一に分布している部分及び／又はテーパー状に分布している部分がそれぞれ複数個存在していてもよい。また共重合体ブロック（Ｂ）には、ビニル芳香族単量体単位の含有量が異なるセグメントが複数個存在していてもよい。
【００６７】
〔ブロック共重合体の製造方法〕
本実施形態のブロック共重合体は、例えば、炭化水素溶媒中で有機アルカリ金属化合物等の重合開始剤を用いてアニオンリビング重合により製造することができる。
【００６８】
炭化水素溶媒としては、特に限定されないが、例えば、ｎ−ブタン、イソブタン、ｎ−ペンタン、ｎ−ヘキサン、ｎ−ヘプタン、ｎ−オクタンなどの脂肪族炭化水素類；シクロヘキサン、シクロヘプタン、メチルシクロヘプタンなどの脂環式炭化水素類；及びベンゼン、トルエン、キシレン、エチルベンゼンなどの芳香族炭化水素等が挙げられる。
【００６９】
重合開始剤としては、特に限定されないが、例えば、共役ジエン及びビニル芳香族化合物に対してアニオン重合活性を有する脂肪族炭化水素アルカリ金属化合物、芳香族炭化水素アルカリ金属化合物、有機アミノアルカリ金属化合物等が挙げられる。アルカリ金属としては、特に限定されないが、例えば、リチウム、ナトリウム、カリウム等が挙げられる。
【００７０】
本実施形態において、有機アルカリ金属化合物を重合開始剤として共役ジエン化合物とビニル芳香族化合物とを重合する際に、ブロック共重合体に組み込まれる共役ジエン単量体単位に起因するビニル結合（１，２−結合または３，４−結合）の量の調整や共役ジエンとビニル芳香族化合物とのランダム重合性を調整するために、極性化合物である、第３級アミン化合物またはエーテル化合物を添加してもよい。
【００７１】
第３級アミン化合物としては、特に限定されないが、例えば、式Ｒ１Ｒ２Ｒ３Ｎ（ただし、Ｒ１、Ｒ２、Ｒ３はそれぞれ独立して炭素数１から２０の炭化水素基または第３級アミノ基を有する炭化水素基である）で表される化合物が挙げられる。
【００７２】
具体的には、トリメチルアミン、トリエチルアミン、トリブチルアミン、Ｎ，Ｎ−ジメチルアニリン、Ｎ−エチルピペリジン、Ｎ−メチルピロリジン、Ｎ，Ｎ，Ｎ’，Ｎ’−テトラメチルエチレンジアミン、Ｎ，Ｎ，Ｎ’，Ｎ’−テトラエチルエチレンジアミン、１，２−ジピペリジノエタン、トリメチルアミノエチルピペラジン、Ｎ，Ｎ，Ｎ’，Ｎ”，Ｎ”−ペンタメチルエチレントリアミン、Ｎ，Ｎ’−ジオクチル−ｐ−フェニレンジアミン等が挙げられる。
【００７３】
エーテル化合物としては、特に限定されないが、例えば、直鎖状エーテル化合物および環状エーテル化合物が挙げられる。
【００７４】
直鎖状エーテル化合物としては、特に限定されないが、具体的には、ジメチルエーテル、ジエチルエーテル、ジフェニルエーテル；  エチレングリコールジメチルエーテル、エチレングリコールジエチルエーテル、エチレングリコールジブチルエーテル等の、エチレングリコールのジアルキルエーテル化合物類；  ジエチレングリコールジメチルエーテル、ジエチレングリコールジエチルエーテル、ジエチレングリコールジブチルエーテル等の、ジエチレングリコールのジアルキルエーテル化合物類が挙げられる。
【００７５】
環状エーテル化合物としては、特に限定されないが、具体的には、テトラヒドロフラン、ジオキサン、２，５−ジメチルオキソラン、２，２，５，５−テトラメチルオキソラン、２，２−ビス（２−オキソラニル）プロパン、フルフリルアルコールのアルキルエーテル等が挙げられる。
【００７６】
本実施形態において有機アルカリ金属化合物を重合開始剤として共役ジエン化合物とビニル芳香族化合物とを重合する方法は、バッチ重合であっても連続重合であってもよく、それらの組み合わせであってもよい。重合温度は、通常０℃以上１８０℃以下であり、好ましくは３０℃以上１５０℃以下である。重合に要する時間は他の条件によって異なるが、通常は４８時間以内であり、好ましくは０．１〜１０時間である。重合系の雰囲気は、窒素ガスなどの不活性ガス雰囲気にすることが好ましい。重合圧力は、上記重合温度範囲で単量体及び溶媒を液相に維持するのに充分な圧力の範囲であれば特に限定はない。重合系内は触媒及びリビング重合体を不活性化させるような不純物（水、酸素、炭酸ガスなど）が混入しないように留意する必要がある。
【００７７】
本実施形態において、重合が終了した時点で２官能以上のカップリング剤を用いてカップリング反応を行うこともできる。２官能以上のカップリング剤には特に限定はなく、公知のものを用いることができる。
【００７８】
２官能性のカップリング剤としては、特に限定されないが、例えば、ジメチルジクロロシラン、ジメチルジブロモシラン等のジハロゲン化合物；安息香酸メチル、安息香酸エチル、安息香酸フェニル、フタル酸エステル類等の酸エステル類等が挙げられる。
【００７９】
３官能以上の多官能カップリング剤としては、特に限定されないが、例えば、３価以上のポリアルコール類；エポキシ化大豆油、ジグリシジルビスフェノールＡ等の多価エポキシ化合物；式Ｒ４−ｎＳｉＸｎ（ただし、各Ｒはそれぞれ独立して炭素数１から２０の炭化水素基を表し、各Ｘはそれぞれ独立してハロゲン原子を表し、ｎは３または４を表す）で表されるハロゲン化珪素化合物、例えばメチルシリルトリクロリド、ｔ−ブチルシリルトリクロリド、四塩化珪素、及びこれらの臭素化物；式Ｒ４−ｎＳｎＸｎ（ただし、各Ｒはそれぞれ独立して炭素数１から２０の炭化水素基を表し、各Ｘはそれぞれ独立してハロゲン原子を表し、ｎは３または４を表す）で表されるハロゲン化錫化合物、例えばメチル錫トリクロリド、ｔ−ブチル錫トリクロリド、四塩化錫等の多価ハロゲン化合物が挙げられる。また、炭酸ジメチルや炭酸ジエチル等も多官能カップリング剤として使用できる。
【００８０】
なお、開始剤、単量体、カップリング剤、又は停止剤として、官能基を有する化合物を用いることにより、得られるブロック共重合体に官能基を付加することができる。
【００８１】
官能基を含む開始剤としては、窒素含有基を含有する開始剤が好ましく、ジオクチルアミノリチウム、ジ−２−エチルヘキシルアミノリチウム、エチルベンジルアミノリチウム、（３−（ジブチルアミノ）−プロピル）リチウム、ピペリジノリチウム等が挙げられる。
【００８２】
官能基を含む単量体としては、前述の重合に用いる単量体に、水酸基、酸無水物基、エポキシ基、アミノ基、アミド基、シラノール基、アルコキシシラン基を含む化合物が挙げられる。この中でも窒素含有基を含有する単量体が好ましく、例えばＮ，Ｎ−ジメチルビニルベンジルアミン、Ｎ，Ｎ−ジエチルビニルベンジルアミン、Ｎ，Ｎ−ジプロピルビニルベンジルアミン、Ｎ，Ｎ−ジブチルビニルベンジルアミン、Ｎ，Ｎ−ジフェニルビニルベンジルアミン、２−ジメチルアミノエチルスチレン、２−ジエチルアミノエチルスチレン、２−ビス（トリメチルシリル）アミノエチルスチレン、１−（４−Ｎ，Ｎ−ジメチルアミノフェニル）−１−フェニルエチレン、Ｎ，Ｎ−ジメチル−２−（４−ビニルベンジロキシ）エチルアミン、４−（２−ピロリジノエチル）スチレン、４−（２−ピペリジノエチル）スチレン、４−（２−ヘキサメチレンイミノエチル）スチレン、４−（２−モルホリノエチル）スチレン、４−（２−チアジノエチル）スチレン、４−（２−Ｎ−メチルピペラジノエチル）スチレン、１−（（４−ビニルフェノキシ）メチル）ピロリジン、及び１−（４−ビニルベンジロキシメチル）ピロリジン等が挙げられる。
【００８３】
官能基を含むカップリング剤及び停止剤としては、前述のカップリング剤の内、水酸基、酸無水物基、エポキシ基、アミノ基、アミド基、シラノール基、アルコキシシラン基を含む化合物が挙げられる。
【００８４】
この中でも窒素含有基又は酸素含有基を含有するカップリング剤が好ましく、例えばテトラグリシジルメタキシレンジアミン、テトラグリシジル−１，３−ビスアミノメチルシクロヘキサン、テトラグリシジル−ｐ−フェニレンジアミン、テトラグリシジルジアミノジフェニルメタン、ジグリシジルアニリン、γ−カプロラクトン、γ−グリシドキシエチルトリメトキシシラン、γ−グリシドキシプロピルトリメトキシシラン、γ−グリシドキシプロピルトリフェノキシシラン、γ−グリシドキシプロピルメチルジメトキシシラン、γ−グリシドキシプロピルジエチルエトキシシラン、１，３−ジメチル−２−イミダゾリジノン、１，３−ジエチル−２−イミダゾリジノン、Ｎ，Ｎ’−ジメチルプロピレンウレア、及びＮ−メチルピロリドン等が挙げられる。
【００８５】
〔水添方法〕
本実施形態において、ブロック共重合体を水添する場合の製造方法については特に限定はなく、公知の方法を用いることができる。
【００８６】
ブロック共重合体を水添する際に使用する水添触媒としては、特に制限はされないが、従来から公知である、Ｎｉ、Ｐｔ、Ｐｄ、Ｒｕ等の金属をカーボン、シリカ、アルミナ、ケイソウ土等に担持させた担持型不均一系水添触媒；Ｎｉ、Ｃｏ、Ｆｅ、Ｃｒ等の有機酸塩又はアセチルアセトン塩などの遷移金属塩と有機アルミニウム等の還元剤とを用いる、いわゆるチーグラー型水添触媒；Ｔｉ、Ｒｕ、Ｒｈ、Ｚｒ等の有機金属化合物等のいわゆる有機金属錯体等の均一系水添触媒が用いられる。
【００８７】
水添触媒としては、例えば、特公昭６３−４８４１号公報、特公平１−５３８５１号公報、特公平２−９０４１号公報に記載された水添触媒を使用することができる。好ましい水添触媒としてはチタノセン化合物および／または還元性有機金属化合物との混合物が挙げられる。
【００８８】
チタノセン化合物としては、特開平８−１０９２１９号公報に記載された化合物が使用できるが、具体的には、ビスシクロペンタジエニルチタンジクロライド、モノペンタメチルシクロペンタジエニルチタントリクロライド等の（置換）シクロペンタジエニル骨格、インデニル骨格あるいはフルオレニル骨格を有する配位子を少なくとも１つ以上もつ化合物が挙げられる。
【００８９】
還元性有機金属化合物としては、有機リチウム等の有機アルカリ金属化合物、有機マグネシウム化合物、有機アルミニウム化合物、有機ホウ素化合物あるいは有機亜鉛化合物等が挙げられる。
【００９０】
ブロック共重合体の水添反応は、通常０〜２００℃の温度範囲内、好ましくは３０〜１５０℃の温度範囲内で実施される。水添反応に使用される水素の圧力は、通常０．１ＭＰａ以上１５ＭＰａ以下であり、好ましくは０．２ＭＰａ以上１０ＭＰａ以下であり、より好ましくは０．３ＭＰａ以上５ＭＰａ以下である。水添反応時間は、通常３分〜１０時間であり、好ましくは１０分〜５時間である。水添反応は、バッチプロセス、連続プロセス、或いはそれらの組み合わせのいずれでも用いることができる。
【００９１】
上記のようにして得られた水添されたブロック共重合体の溶液は、必要に応じて触媒残査を除去し、水添されたブロック共重合体を溶液から分離することができる。溶媒の分離の方法としては、例えば水添後の反応液にアセトンまたはアルコール等の水添ブロック共重合体等に対する貧溶媒となる極性溶媒を加えてブロック共重合体を沈澱させて回収する方法、反応液を撹拌下熱湯中に投入し、スチームストリッピングにより溶媒を除去して回収する方法、または直接ブロック共重合体溶液を加熱して溶媒を留去する方法等を挙げることができる。本実施形態のブロック共重合体には、各種フェノール系安定剤、リン系安定剤、イオウ系安定剤、アミン系安定剤等の安定剤を添加することができる。
【００９２】
〔アスファルト〕
本実施形態で用いることができるアスファルトとしては、特に限定されないが、例えば、石油精製の際の副産物（石油アスファルト）、または天然の産出物（天然アスファルト）として得られるもの、もしくはこれらと石油類を混合したもの等が挙げられる。その主成分は瀝青（ビチューメン）と呼ばれるものである。具体的には、ストレートアスファルト、セミブローンアスファルト、ブローンアスファルト、タール、ピッチ、オイルを添加したカットバックアスファルト、アスファルト乳剤等が挙げられる。これらは、１種単独で用いても、２種以上を併用してもよい。
【００９３】
本実施形態のアスファルトは、アスファルト組成物の軟化点、耐わだち掘れ性（Ｇ＊／ｓｉｎδ）の観点から、アスファルトのコロイダルインデックス（（飽和分含有量（質量％）＋アスファルテン分含有量（質量％））／（レジン分含有量（質量％）＋芳香族分含有量（質量％））は、０．３０以上０．５４以下であり、かつ飽和分含有量が１１質量％以下である。コロイダルインデックスは、好ましくは０．３１以上であり、より好ましくは０．３２以上であり、さらに好ましくは０．３６以上であり、よりさらに好ましくは０．３７以上であり、さらにより好ましくは０．３８以上である。コロイダルインデックスが０．３０以上であることにより、軟化点及び耐わだち掘れ性（Ｇ＊／ｓｉｎδ）がより向上する。また、コロイダルインデックスは、好ましくは０．５３以下であり、より好ましくは０．５２以下であり、さらに好ましくは０．５１以下であり、さらにより好ましくは０．５０以下である。コロイダルインデックスが０．５４以下であることにより、施工性（低い溶融粘度）及び伸度がより向上する。
【００９４】
飽和分含有量は、好ましくは１０．０質量％以下であり、より好ましくは９．５質量％以下であり、さらに好ましくは９．０質量％以下である。飽和分含有量が１１．０質量％以下であることにより、軟化点及び耐わだち掘れ性（Ｇ＊／ｓｉｎδ）がより向上する傾向にある。また、飽和分含有量は、好ましくは４質量％以上であり、より好ましくは５質量％以上であり、さらに好ましくは５．５質量％以上である。飽和分含有量が６質量％以上であることにより、施工性（低い溶融粘度）及び伸度がより向上する傾向にある。
【００９５】
アスファルテン分含有量は、好ましくは２５質量％以下であり、より好ましくは２４質量％以下であり、さらに好ましくは２３質量％以下である。アスファルテン分含有量が２６質量％以下であることにより、施工性（低い溶融粘度）及び伸度がより向上する傾向にある。また、アスファルテン分含有量は、好ましくは１８質量％以上であり、より好ましくは１８．５質量％以上であり、さらに好ましくは１９質量％以上である。アスファルテン分含有量が１６質量％以上であることにより、軟化点及び耐わだち掘れ性（Ｇ＊／ｓｉｎδ）がより向上する傾向にある。
【００９６】
レジン分含有量は、好ましくは２９質量％以下であり、より好ましくは２８質量％以下であり、さらに好ましくは２７．５質量％以下である。レジン分含有量が３０質量％以下であることにより、伸度がより向上する傾向にある。また、レジン分含有量は、好ましくは１９質量％以上であり、より好ましくは２０質量％以上であり、さらに好ましくは２０．５質量％以上である。レジン分含有量が１８質量％以上であることにより、軟化点、耐わだち掘れ性（Ｇ＊／ｓｉｎδ）及び施工性（低い溶融粘度）がより向上する傾向にある。
【００９７】
芳香族分含有量は、好ましくは５８質量％以下であり、より好ましくは５６質量％以下であり、さらに好ましくは５４質量％以下である。芳香族分含有量が６０質量％以下であることにより、軟化点及び耐わだち掘れ性（Ｇ＊／ｓｉｎδ）がより向上する傾向にある。また、芳香族分含有量は、好ましくは３８質量％以上であり、より好ましくは４０質量％以上であり、さらに好ましくは４２質量％以上である。芳香族分含有量が３５質量％以上であることにより、施工性（低い溶融粘度）及び伸度がより向上する傾向にある。
【００９８】
アスファルトのコロイダルインデックス（Ｃｉ）と、ブロック共重合体の動的粘弾性のスペクトルにおける損失正接のピーク温度（Ｔｇ（℃））と、が以下の関係を満たすことが好ましい。これにより、軟化点、耐わだち掘れ性がより向上する傾向にある。
Ｃｉ≦０．０１２７×Ｔｇ＋０．９４
【００９９】
また、この時、損失正接のピークトップの範囲は、−７０℃以上０℃以下の範囲であることが好ましく、より好ましくは−５０℃以上−１０℃以下であり、さらに好ましくは−４５℃以上−２０℃以下である。
【０１００】
ここで「飽和分」とは、分子量が３００〜２，０００のパラフィン、ナフテンの油分であり、「アスファルテン分」とは、分子量が１，０００〜１００，０００の層状構造の縮合多環芳香族であり、「レジン分」とは、分子量が５００〜５０，０００の縮合多環芳香族の樹脂であり、「芳香族分」とは、分子量が５００〜２，０００の芳香族の油分である。なお、これら各成分は、石油学会の石油類試験関係規格のＪＰＩ−５Ｓ−７０−１０に準拠した測定法で分析することができる。
【０１０１】
コロイダルインデックス、飽和分は、後述する実施例記載の方法で求めることができる。
【０１０２】
アスファルトの針入度は、好ましくは４０を超え１２０以下であり、好ましくは５０以上１００以下であり、より好ましくは６０以上１２０以下である。アスファルトの針入度が４０を超えることにより、溶融粘度が低下し、伸度がより向上する傾向にある。また、アスファルトの針入度が１２０以下であることにより、軟化点、耐わだち掘れ性がより向上する傾向にある。アスファルトの針入度は実施例に記載の方法により測定することができる。また、アスファルトの針入度は、石油の精製条件の温度、時間、減圧度等を制御することにより調整することができる。
【０１０３】
ブロック共重合体の含有量は、溶融粘度と軟化点及び耐わだち掘れ性（Ｇ＊／ｓｉｎδ）の性能バランスの観点から、アスファルト１００質量部に対して、０．５質量部以上２０質量部以下であり、好ましくは１質量部以上１８質量部以下であり、より好ましくは２質量部以上１５質量部以下である。また、施工性の観点から低い溶融粘度が求められる道路舗装用の場合、アスファルト１００質量部に対して、好ましくは０．５質量部以上１５質量部以下、より高い軟化点、伸度を求められるアスファルト防水シートの場合、アスファルト１００質量部に対して、好ましくは２質量部以上２０質量部以下であることが好ましい。
【０１０４】
〔その他の成分〕
本実施形態のアスファルト組成物には、上述したブロック共重合体、アスファルトの他、後述する各成分を添加することができる。
【０１０５】
（上述したブロック共重合体以外の重合体）
高い軟化点、耐油性あるいは経済性の点で、上述したブロック共重合体以外の重合体を含んでいてもよい。その他の重合体としては、特に限定されないが、例えば、天然ゴム、ポリイソプレンゴム、ポリブタジエンゴム、スチレンブタジエンゴム、スチレン−ブタジエン−スチレンブロック共重合体（ＳＢＳ）、スチレン−ブタジエン−ブチレン−スチレン共重合体（ＳＢＢＳ）、スチレン−エチレン−ブチレン−スチレン共重合体（ＳＥＢＳ）、エチレンプロピレン共重合体等のオレフィン系エラストマー；エチレン−エチルアクリレート共重合体、クロロプレンゴム、アクリルゴム、エチレン酢酸ビニル共重合体等が挙げられる。
【０１０６】
この中では、アスファルト組成物の低い粘度や低温での高い伸度の点で、スチレン−ブタジエン−スチレンブロック共重合体（ＳＢＳ）が好ましい。さらに、ＳＢＳは、スチレン−ブタジエンジブロック体を含有することがより好ましい。ＳＢＳの例としては、Ｋｒａｔｏｎ社製のＤ１１０１やＤ１１８４が挙げられる。
【０１０７】
（粘着付与樹脂）
本実施形態のアスファルト組成物には、粘着付与剤樹脂を添加してもよい。粘着付与剤樹脂としては、特に限定されるものではなく、例えば、ロジン系樹脂、水添ロジン系樹脂、テルペン系樹脂、クマロン系樹脂、フェノール系樹脂、テルペン−フェノール系樹脂、芳香族炭化水素樹脂、脂肪族炭化水素樹脂等の公知の粘着付与性樹脂が挙げられる。
【０１０８】
粘着付与剤樹脂は、単独で使用してもよく、２種類以上混合して使用してもよい。粘着付与剤樹脂の具体例としては、「ゴム・プラスチック配合薬品」（ラバーダイジェスト社編）に記載されたものが使用できる。
【０１０９】
粘着付与剤樹脂を用いることにより、本実施形態のアスファルト組成物において施工性及び弾性率の改良が図られる。本実施形態のアスファルト組成物中における粘着付与剤樹脂の含有量は、上述したブロック共重合体を１００質量部としたとき、好ましくは０〜２００質量部、より好ましくは１０〜１００質量部の範囲で使用される。上記範囲の含有量とすることにより、施工性及び弾性率の改良効果が確実に得られる。
【０１１０】
（軟化剤）
本実施形態のアスファルト組成物には、軟化剤を添加してもよい。軟化剤としては、鉱物油系軟化剤又は合成樹脂系軟化剤のいずれも使用できる。鉱物油系軟化剤としては、一般に、パラフィン系オイル、ナフテン系オイル、芳香族系オイル等が挙げられる。
【０１１１】
なお、パラフィン系炭化水素の炭素原子数が全炭素原子中の５０％以上を占めるものがパラフィン系オイルと呼ばれ、ナフテン系炭化水素の炭素原子が３０〜４５％のものがナフテン系オイルと呼ばれ、また、芳香族系炭化水素の炭素原子が３５％以上のものが芳香族系オイルと呼ばれている。
【０１１２】
また、合成樹脂系軟化剤としては、特に限定されないが、例えば、ポリブテン、低分子量ポリブタジエン等が好ましいものとして挙げられる。軟化剤としては、ゴム用軟化剤であるパラフィン系オイルが好ましい。軟化剤を含有させることにより、本実施形態のアスファルト組成物において、施工性の改良が図られる。
【０１１３】
本実施形態のアスファルト組成物中の軟化剤の含有量は、軟化剤のブリード抑制や、本実施形態のアスファルト組成物において実用上十分な機械強度を確保する観点から、上述したブロック共重合体を１００質量部としたとき、０〜１００質量部であることが好ましく、０〜５０質量部の範囲がより好ましく、２〜３０質量部の範囲がさらに好ましい。
【０１１４】
（安定剤）
本実施形態のアスファルト組成物には、酸化防止剤、光安定剤等の各種安定剤を添加してもよい。
【０１１５】
酸化防止剤としては、特に限定されないが、例えば、２，６−ジ−ｔ−ブチル−４−メチルフェノール、ｎ−オクタデシル−３−（４’−ヒドロキシ−３’，５’−ジ−ｔ−ブチルフェニル）プロピオネート、２，２’−メチレンビス（４−メチル−６−ｔ−ブチルフェノール）、２，２’−メチレンビス（４−エチル−６−ｔ−ブチルフェノール）、２，４−ビス［（オクチルチオ）メチル］−ｏ−クレゾール、２−ｔ−ブチル−６−（３−ｔ−ブチル−２−ヒドロキシ−５−メチルべンジル）−４−メチルフェニルアクリレート、２，４−ジ−ｔ−アミル−６−［１−（３，５−ジ−ｔ−アミル−２−ヒドロキシフェニル）エチル］フェニルアクリレート、２−［１−（２−ヒドロキシ−３，５−ジ−ｔｅｒｔ−ペンチルフェニル）］アクリレート等のヒンダードフェノール系酸化防止剤；ジラウリルチオジプロピオネート、ラウリルステアリルチオジプロピオネートペンタエリスリトール−テトラキス（β−ラウリルチオプロピオネート）等のイオウ系酸化防止剤；トリス（ノニルフェニル）ホスファイト、トリス（２，４−ジ−ｔ−ブチルフェニル）ホスファイト等のリン系酸化防止剤等が挙げられる。
【０１１６】
光安定剤としては、例えば、２−（２’−ヒドロキシ−５’−メチルフェニル）ベンゾトリアゾール、２−（２’−ヒドロキシ−３’，５’−ｔ−ブチルフェニル）ベンゾトリアゾール、２−（２’−ヒドロキシ−３’，５’−ジ−ｔ−ブチルフェニル）−５−クロロベンゾトリアゾール等のベンゾトリアゾール系紫外線吸収剤；２−ヒドロキシ−４−メトキシベンゾフェノン等のベンゾフェノン系紫外線吸収剤；ヒンダードアミン系光安定剤等が挙げられる。
【０１１７】
本実施形態のアスファルト組成物中の安定剤の含有量は、ブロック共重合体１００質量部に対して、０〜１０質量部であることが好ましく、０〜５質量部の範囲がより好ましく、０〜３質量部の範囲がさらに好ましく、０．２〜２質量部の範囲がよりさらに好ましい。
【０１１８】
（添加剤）
本実施形態のアスファルト組成物には、その他、必要に応じて、従来、アスファルト組成物に慣用されている各種添加剤を添加することができる。
【０１１９】
例えば、シリカ、タルク、炭酸カルシウム、鉱物質粉末、ガラス繊維等の充填剤や補強剤、鉱物質の骨材、ベンガラ、二酸化チタン等の顔料、パラフィンワックス、マイクロクリスタリンワックス、低分子量ポリエチレンワックス等のワックス類、あるいは、アゾジカルボンアミド等の発泡剤、アタクチックポリプロピレン、エチレン−エチルアクリレート共重合体等のポリオレフィン系又は低分子量のビニル芳香族系熱可塑性樹脂、天然ゴム、ポリイソプレンゴム、ポリブタジエンゴム、スチレンーブタジエンゴム、エチレンープロピレンゴム、クロロプレンゴム、アクリルゴム、イソプレンーイソブチレンゴム、ポリペンテナマーゴム、及び本発明以外のスチレンーブタジエン系ブロック共重合体、スチレンーイソプレン系ブロック共重合体、水素化スチレン−ブタジエン系ブロック共重合体、水素化スチレン−イソプレン系ブロック共重合体等の合成ゴムが挙げられる。
【０１２０】
本実施形態のアスファルト組成物中の上記添加剤の含有量は、ブロック共重合体１００質量部に対して、０〜１００質量部であることが好ましく、０〜５０質量部の範囲がより好ましく、０〜３０質量部の範囲がさらに好ましく、１〜２０質量部の範囲がよりさらに好ましい。
【０１２１】
（その他）
上記の他に以下のような物質を添加することができる。
【０１２２】
ゴム加硫剤、架橋剤：例えば硫黄、硫黄化合物、硫黄以外の無機加硫剤、オキシム類、ニトロソ化合物、ポリアミン、有機過酸化物、樹脂加硫剤が挙げられる。
【０１２３】
可塑剤：例えばフタル酸誘導体、テトラヒドロフタル酸誘導体、アジピン酸誘導体、アゼライン酸誘導体、セバシン酸誘導体、ドデカン−２−酸誘導体、マレイン酸誘導体、フマル酸誘導体、トリメリット酸誘導体、ピロメリット酸誘導体、くえん酸誘導体、オレイン酸誘導体、リシノール酸誘導体、スルホン酸誘導体、リン酸誘導体、グルタール酸誘導体、グリコール誘導体、グセリン誘導体、パラフィン誘導体、エポキシ誘導体が挙げられる。
【０１２４】
造核剤：脂肪酸金属塩系、ソルビトール系、リン酸エステル金属塩型が挙げられる。
本実施形態のアスファルト組成物中の上記その他成分の含有量は、本実施形態のアスファルト組成物において、上述したブロック共重合体を１００質量部としたとき、０〜１０質量部であることが好ましく、０〜５質量部の範囲がより好ましく、０〜３質量部の範囲がさらに好ましく、０．２〜２質量部の範囲がよりさらに好ましい。
【０１２５】
アスファルト組成物を用いる舗装形態としては、特に限定されないが、例えば、密粒度舗装、排水性舗装、透水性舗装、密粒度ギャップアスファルト舗装、砕石マスチックアスファルト舗装、カラー舗装、半たわみ性舗装、保水性舗装、薄層舗装が挙げられる。
【０１２６】
密粒度舗装においては、耐流動、滑り抵抗性の改善が主に求められる。この場合、アスファルト組成物中のブロック共重合体の含有量は、アスファルト１００質量％に対して、好ましくは３〜５．５質量％である。また、密粒度舗装に用いられ得るアスファルト組成物の組成としては、各骨材とフィラーの合計量１００質量％（アスファルトを除く）に対して、好ましくは、粗骨材４０〜５５質量％、細骨材４０〜５０質量％、フィラー３〜５質量％、アスファルト５〜７％質量％である。
【０１２７】
排水性舗装においては、排水性、視認性、騒音性の改善が主に求められる。この場合、アスファルト組成物中のブロック共重合体の含有量は、アスファルト１００質量％に対して、好ましくは５〜１０質量％である。また、排水性舗装に用いられ得るアスファルト組成物の組成としては、各骨材とフィラーの合計量１００質量％（アスファルトを除く）に対して、好ましくは、粗骨材６０〜８５質量％、細骨材５〜２０質量％、フィラー３〜５質量％、アスファルト４〜６％質量％である。
【０１２８】
透水性舗装においては、透水性の改善が主に求められる。この場合、アスファルト組成物中のブロック共重合体の含有量は、アスファルト１００質量％に対して、好ましくは０．５〜６質量％である。また、透水性舗装に用いられ得るアスファルト組成物の組成としては、各骨材とフィラーの合計量１００質量％（アスファルトを除く）に対して、好ましくは、粗骨材６０〜８５質量％、細骨材５〜２０質量％、フィラー３〜５質量％、アスファルト４〜６質量％である。
【０１２９】
密粒度ギャップ舗装においては、摩耗性、耐流動、耐久性、滑り抵抗性の改善が主に求められる。この場合、アスファルト組成物中のブロック共重合体の含有量は、アスファルト１００質量％に対して、好ましくは５〜１２質量％である。また、密粒度ギャップ舗装に用いられ得るアスファルト組成物の組成としては、各骨材とフィラーの合計量１００質量％（アスファルトを除く）に対して、好ましくは、粗骨材５０〜６０質量％、細骨材３０〜４０質量％、フィラー３〜６質量％、アスファルト４．５〜６質量％である。
【０１３０】
砕石マスチックアスファルト舗装においては、摩耗性、不透水性、応力緩和性、耐流動、騒音性の改善が主に求められる。この場合、アスファルト組成物中のブロック共重合体の含有量は、アスファルト１００質量％に対して、好ましくは４〜１０質量％である。また、砕石マスチックアスファルト舗装に用いられ得るアスファルト組成物の組成としては、各骨材とフィラーの合計量１００質量％（アスファルトを除く）に対して、粗骨材５５〜７０質量％、細骨材１５〜３０質量％、フィラー５〜１０質量％、アスファルト５．５〜８質量％である。
【０１３１】
半たわみ性舗装においては、視認性、耐油性、耐流動の改善が主に求められる。この場合、アスファルト組成物中のブロック共重合体の含有量は、アスファルト１００質量％に対して、好ましくは４〜１０質量％である。また、半たわみ性舗装に用いられ得るアスファルト組成物の組成としては、各骨材とフィラーの合計量１００質量％（アスファルトを除く）に対して、好ましくは、粗骨材６０〜８５質量％、細骨材５〜２０質量％、フィラー３〜５質量％、アスファルト４〜６質量％であり、また、空隙率１５〜２０％程度で空隙にセメント系モルタルを充填することが好ましい。
【０１３２】
保水性舗装においては、舗装温度上昇の抑制、保水性の改善が主に求められる。この場合、アスファルト組成物中のブロック共重合体の含有量は、アスファルト１００質量％に対して、好ましくは４〜１０質量％である。また、保水性舗装に用いられ得るアスファルト組成物の組成としては、各骨材とフィラーの合計量１００質量％（アスファルトを除く）に対して、粗骨材６０〜８５質量％、細骨材５〜２０質量％、フィラー３〜５質量％、アスファルト４〜６質量％であり、また、空隙率１５〜２０％程度で空隙にセメント系や石膏系などの保水材を充填することが好ましい。
【０１３３】
薄層舗装においては、経済性、工期短縮、施工性の改善が主に求められる。この場合、アスファルト組成物中のブロック共重合体の含有量は、アスファルト１００質量％に対して、好ましくは４〜８質量％である。また、薄層舗装に用いられ得るアスファルト組成物の組成としては、各骨材とフィラーの合計量１００質量％（アスファルトを除く）に対して、好ましくは、骨材（５〜２．５ｍｍ）６０〜８５質量％、細骨材（２．５ｍｍ以下）５〜２０質量％、フィラー３〜５質量％、アスファルト４〜６．５質量％である。
【０１３４】
〔アスファルト組成物の製造方法〕
本実施形態のアスファルト組成物の製造方法は、特に限定されるものではなく、公知の混合機、熱溶融釜、ニーダー等により各成分を加熱溶融混練し、均一混合する方法で製造できる。
【０１３５】
例えば、１６０℃〜２００℃（通常は１８０℃前後）の熱溶融釜に、アスファルトを浸漬し、完全に溶融させ、ホモミキサー等の攪拌機で攪拌しながら、ブロック共重合体、その他の所定の添加剤を添加し、その後、攪拌速度を上げ、混練することによりアスファルト組成物を製造できる。なお、通常の撹拌速度は、用いる装置により適時選択すればよいが、通常、１００ｒｐｍ以上８，０００ｒｐｍ以下であり、撹拌時間は好ましくは３０分〜６時間、より好ましくは１時間〜３時間である。
【実施例】
【０１３６】
以下、具体的な実施例と比較例を挙げて本発明について詳細に説明するが、本発明は以下の実施例に限定されるものではない。先ず、実施例及び比較例に適用した、評価方法及び物性の測定方法について下記に示す。【０１３７】
［Ｉ．ブロック共重合体の組成及び構造の評価］
（Ｉ−１）ブロック共重合体中のビニル芳香族単量体単位の含有量（スチレン含有量）
一定量の重合体をクロロホルムに溶解し、紫外分光光度計（島津製作所製、ＵＶ−２４５０）を用いて、ビニル芳香族化合物（スチレン）に起因する吸収波長（２６２ｎｍ）のピーク強度から検量線を用いてビニル芳香族単量体単位（スチレン）の含有量を算出した。【０１３８】
（Ｉ−２）ブロック共重合体中の重合体ブロック（Ａ）の含有量
水添前の重合体を使用し、Ｉ．Ｍ．Ｋｏｌｔｈｏｆｆ，ｅｔａｌ．，Ｊ．Ｐｏｌｙｍ．Ｓｃｉ．１，ｐ．４２９（１９４６）に記載の四酸化オスミウム酸法で測定した。重合体の分解にはオスミウム酸０．１ｇ／１２５ｍＬ第３級ブタノール溶液を用いた。【０１３９】
（Ｉ−３）ブロック共重合体の組成分析と水素添加率
部分水添ブロック共重合体中のビニル含有量及び共役ジエン中の不飽和基の水素添加率を、核磁気共鳴スペクトル解析（ＮＭＲ）により、下記の条件で測定した。水添反応後のブロック共重合体を、大量のメタノール中に沈澱させることで、部分水添ブロック共重合体を沈殿させて回収した。次いで、部分水添ブロック共重合体をアセトンで抽出し、抽出液を真空乾燥し、１Ｈ−ＮＭＲ測定のサンプルとして用いた。１Ｈ−ＮＭＲ測定の条件を以下に記す。
（測定条件）
測定機器      ：ＪＮＭ−ＬＡ４００（ＪＥＯＬ製）
溶媒          ：重水素化クロロホルム
測定サンプル  ：ブロック共重合体を水素添加する前後の抜き取り品
サンプル濃度  ：５０ｍｇ／ｍＬ
観測周波数    ：４００ＭＨｚ
化学シフト基準：ＴＭＳ（テトラメチルシラン）
パルスディレイ：２．９０４秒
スキャン回数  ：６４回
パルス幅      ：４５°
測定温度      ：２６℃【０１４０】
また、上記で得られた１Ｈ−ＮＭＲスペクトルに基づいて、共役ジエン単量体単位（ａ）が水添されたアルケニル単量体単位（ａ１）の含有量、共役ジエン単量体単位（ｂ）が水添されたアルケニル単量体単位（ｂ１）の含有量、水添されなかったアルケニル単量体単位（ａ２）の含有量、水添されなかったアルケニル単量体単位（ｂ２）の含有量を算出した。【０１４１】
（Ｉ−４）重量平均分子量、分子量分布
ＧＰＣ〔装置は、ウォーターズ製〕で測定し、溶媒にはテトラヒドロフランを用い、温度３５℃でクロマトグラムを測定した。市販の標準ポリスチレンの測定から求めた検量線（標準ポリスチレンのピーク分子量を使用して作成）を使用して、得られたクロマトグラムから重量平均分子量（ポリスチレン換算分子量）と数平均分子量を求め、これらの比から分子量分布を求めた。【０１４２】
（Ｉ−５）動的粘弾性のスペクトル
ｔａｎδ（損失正接）ピーク高さ、温度は、粘弾性測定解析装置ＡＲＥＳ（ティー・エイ・インスルメント・ジャパン株式会社製、商品名）を用い、粘弾性スペクトルを測定することにより求めた。捻じりタイプのジオメトリーに、測定用資料をセットし、ひずみ０．５％、測定周波数は１Ｈｚで測定した。【０１４３】
［ＩＩ．アスファルトの組成分析］
（ＩＩ−１）コロイダルインデックス（Ｃｉ）
薄層クロマトグラフィー自動検出装置（イアトロスキャンＭＫ−６：三菱化学メディエンス株式会社製、商品名）を用いて、石油学会の石油類試験関係規格のＪＰＩ−５Ｓ−７０−１０に準拠した測定法で、各アスファルトの飽和分、アスファルテン分、レジン分、芳香族分を求めた。コロイダルインデックス（Ｃｉ）は以下の式により求めた。
Ｃｉ＝（飽和分含有量＋アスファルテン分含有量）／（レジン分含有量＋芳香族分含有量）
なお、コロイダルインデックスは、アスファルト道路舗装体からアスファルト成分を抽出し、抽出成分を分析することによっても測定可能である。【０１４４】
（ＩＩ−２）アスファルトの針入度
ＪＩＳ−Ｋ  ２２０７に準じ、恒温水浴槽で２５℃に保った試料に規定の針が５秒間に進入する長さを測定することにより、アスファルトの針入度を求めた。なお、実施例で用いたアスファルトは、上記測定において針入度が６０以上１００以下であった。【０１４５】
［ＩＩＩ．アスファルト組成物の特性］
（ＩＩＩ−１）溶融粘度
１６０℃及び１８０℃でブルックフィールド型粘度計（ＤＶ−ＩＩＩ型）により溶融粘度を測定した。溶融粘度の測定値（ｍＰａ・ｓ）が、道路舗装用の場合、１６０℃で５００以下、アスファルト防水シートの場合、１８０℃で５００以下であれば実用上優れた性能、各々の温度条件で４５０以下であれば実用上十分な性能であると判断した。【０１４６】
（ＩＩＩ−２）軟化点
ＪＩＳ−Ｋ２２０７に準じて、アスファルト組成物の軟化点を測定した。規定の環に試料を充填し、グリセリン液中に水平に支え、試料の中央に３．５ｇの球を置き、液温を５℃／ｍｉｎの速度で上昇させたとき、球の重さで試料が環台の底板に触れた時の温度を測定した。軟化点の測定値（℃）が、７５以上であれば実用上優れた性能、８２以上であれば実用上十分な性能であり、さらに１２０以上であればアスファルト防水シート用途としても実用上優れた性能、１３０以上であれば実用上十分な性能であると判断した。【０１４７】
（ＩＩＩ−３）伸度
ＪＩＳ−Ｋ２２０７に準じ、試料を形枠に流し込み、規定の形状にした後、恒温水浴内で１５℃に保ち、次に試料を５ｃｍ／ｍｉｎの速度で引っ張ったとき、試料が切れるまでに伸びた距離を測定した。伸度力の測定値（ｃｍ）が、５５以上であれば実用上優れた性能、６０以上であれば実用上十分な性能であると判断した。【０１４８】
（ＩＩＩ−４）高温貯蔵安定性（軟化点の変化差）
アスファルト組成物製造直後、１８０℃のオーブン中で、３日間加熱した。その後、金属缶を取り出し軟化点を測定した。製造直後の軟化点と３日間加熱後の軟化点差を高温貯蔵安定性の尺度とした。軟化点差が小さいほど、高温貯蔵安定性は良好である。高温貯蔵前後の軟化点差の値（℃）が、１０以下であれば実用上優れた性能、５以下であれば実用上十分な性能であると判断した。【０１４９】
（ＩＩＩ−５）わだち掘れ性
わだち掘れ性の指標としてＧ＊／ｓｉｎδを用いて評価した。Ｇ＊／ｓｉｎδは、粘弾性測定解析装置ＡＲＥＳ（ティー・エイ・インスルメント・ジャパン株式会社製、商品名）を用い、粘弾性スペクトルを測定することにより求めた。捻じりタイプのジオメトリーに、測定用資料をセットし、ひずみ０．５％、測定周波数は１Ｈｚ、パラレルプレート直径７．９ｍｍでＧ＊（複素弾性率）とｓｉｎδを測定した。Ｇ＊／ｓｉｎδの測定値（Ｐａ）が、７５０以上であれば実用上優れた性能、９００以上であれば実用上十分な性能であると判断した。【０１５０】
［ＩＶ．水添触媒の調製］
窒素置換した反応容器に乾燥、精製したシクロヘキサン２リットルを仕込み、ビス（η５−シクロペンタジエニル）チタニウムジ−（ｐ−トリル）４０ミリモルと分子量が約１，０００の１，２−ポリブタジエン（１，２−ビニル結合量約８５％）１５０グラムを溶解した後、ｎ−ブチルリチウム６０ミリモルを含むシクロヘキサン溶液を添加して室温で５分反応させ、直ちにｎ−ブタノール４０ミリモルを添加攪拌して室温で保存した。【０１５１】
［Ｖ．ブロック共重合体の調整］
＜ポリマー１＞
内容積が１０Ｌの攪拌装置及びジャケット付き槽型反応器を用いて、重合を以下の方法で行った。【０１５２】
（１段目）
シクロヘキサン１０質量部を反応器に仕込んで温度７０℃に調整した後、ｎ−ブチルリチウムを全モノマー（反応器に投入したブタジエンモノマー及びスチレンモノマーの総量）の質量に対して０．０５８質量％、Ｎ，Ｎ，Ｎ’，Ｎ’−テトラメチルエチレンジアミン（以下ＴＭＥＤＡと称する）をｎ−ブチルリチウム１モルに対して０．４モル添加し、その後モノマーとしてスチレン１０．５質量部を含有するシクロヘキサン溶液（モノマー濃度２２質量％）を約３分間かけて添加し、反応器内温を約７０℃、反応器内圧を０．３０ＭＰａになる様に調整しながら３０分間反応させた。【０１５３】
（２段目）
次に、ブタジエン５６質量部を含有するシクロヘキサン溶液（モノマー濃度２２質量％）とスチレン２３質量部を含有するシクロヘキサン溶液（モノマー濃度２２質量％）をそれぞれ３０分間と１０分間かけて一定速度で連続的に反応器に供給し、その後、３０分間反応させた。この間、反応器内温は約７０℃、反応器内圧を０．３０ＭＰａになるように調整した。【０１５４】
（３段目）
その後、更にモノマーとしてスチレン１０．５質量部を含有するシクロヘキサン溶液（モノマー濃度２２質量％）を約３分間かけて添加し、反応器内温を約７０℃、反応器内圧を０．３０ＭＰａに調整しながら３０分間反応させ、ブロック共重合体を得た。【０１５５】
次に、得られたブロック共重合体に、上記水添触媒をブロック共重合体の質量に対してチタンとして９５ｐｐｍ添加し、水素圧０．７ＭＰａ、温度６５℃で水添反応を行った。反応終了後にメタノールを添加し、次に安定剤としてオクタデシル−３−（３，５−ジ−ｔ−ブチル−４−ヒドロキシフェニル）プロピオネートをブロック共重合体の質量に対して０．３質量％添加し、水添ブロック共重合体（以下、ポリマー１と称する）を得た。水添率は８７％であった。【０１５６】
＜ポリマー２＞
ｎ−ブチルリチウムの供給量を０．０３７質量％添加とし、１段目に供給するスチレンを１０質量部、２段目に供給するブタジエンを７０質量部、スチレンを１０質量部、ブタジエンの添加時間を１５分間、３段目に供給するスチレンを１０質量部に変えること以外は、ポリマー１と同様の方法により重合を行った。【０１５７】
次に、得られたブロック共重合体に、上記水添触媒をブロック共重合体の質量に対してチタンとして９３ｐｐｍ添加する以外は、ポリマー１と同様に水添反応を行い、水添ブロック共重合体（以下、ポリマー２と称する）を得た。水添率は８４％であった。【０１５８】
＜ポリマー３＞
ｎ−ブチルリチウムの供給量を０．０６３質量％添加とし、１段目に供給するスチレンを１７．５質量部、２段目に供給するブタジエンを５０質量部、スチレンを１５質量部、３段目に供給するスチレンを１７．５質量部に変えること以外は、ポリマー１と同様の方法により重合を行った。【０１５９】
次に、得られたブロック共重合体に、上記水添触媒をブロック共重合体の質量に対してチタンとして９０ｐｐｍ添加する以外は、ポリマー１と同様に水添反応を行い、水添ブロック共重合体（以下、ポリマー３と称する）を得た。水添率は８０％であった。【０１６０】
＜ポリマー４＞
ｎ−ブチルリチウムの供給量を０．０４５質量％添加とし、１段目に供給するスチレンを７．５質量部、２段目に供給するブタジエンを６２質量部、ブタジエンの添加時間を２０分間、３段目に供給するスチレンを７．５質量部に変えること以外は、ポリマー１と同様の方法により重合を行った。【０１６１】
次に、得られたブロック共重合体に、上記水添触媒をブロック共重合体の質量に対してチタンとして８０ｐｐｍ添加する以外は、ポリマー１と同様に水添反応を行い、水添ブロック共重合体（以下、ポリマー４と称する）を得た。水添率は６２％であった。【０１６２】
＜ポリマー５＞
ｎ−ブチルリチウムの供給量を０．０７７質量％添加とし、１段目に供給するスチレンを１２．５質量部、２段目に供給するブタジエンを４５質量部、スチレンを３０質量部、ブタジエンの添加時間を４５分間、３段目に供給するスチレンを１２．５質量部に変え、反応器内温は８５℃、反応器内圧を０．４２ＭＰａになる様に調整すること以外は、ポリマー１と同様の方法により重合を行った。【０１６３】
次に、得られたブロック共重合体に、上記水添触媒をブロック共重合体の質量に対してチタンとして６８ｐｐｍ添加、反応器内温は８５℃にする以外は、ポリマー１と同様に水添反応を行い、水添ブロック共重合体（以下、ポリマー５と称する）を得た。水添率は４５％であった。【０１６４】
＜ポリマー６＞
ｎ−ブチルリチウムの供給量を０．０５６質量％添加とし、１段目に供給するスチレンを１０質量部、２段目に供給するブタジエンを５７質量部、ブタジエンの添加時間を２５分間、３段目に供給するスチレンを１０質量部に変えること以外は、ポリマー１と同様の方法により重合を行った。【０１６５】
次に、得られたブロック共重合体に、上記水添触媒をブロック共重合体の質量に対してチタンとして７５ｐｐｍ添加する以外は、ポリマー１と同様に水添反応を行い、水添ブロック共重合体（以下、ポリマー６と称する）を得た。水添率は５０％であった。【０１６６】
＜ポリマー７＞
ｎ−ブチルリチウムの供給量を０．０７０質量％添加とし、１段目に供給するスチレンを１５．５質量部、２段目に供給するブタジエンを３０質量部、スチレンを３９質量部、ブタジエンの添加時間を５５分間、３段目に供給するスチレンを１５．５質量部に変えること以外は、ポリマー１と同様の方法により重合を行った。【０１６７】
次に、得られたブロック共重合体に、上記水添触媒をブロック共重合体の質量に対してチタンとして６７ｐｐｍ添加する以外は、ポリマー１と同様に水添反応を行い、水添ブロック共重合体（以下、ポリマー７と称する）を得た。水添率は４３％であった。【０１６８】
＜ポリマー８＞
ｎ−ブチルリチウムの供給量を０．０４２質量％添加とし、１段目に供給するスチレンを６質量部、２段目に供給するブタジエンを８５質量部、スチレンを３質量部、ブタジエンの添加時間を１０分間、３段目に供給するスチレンを６質量部に変えること以外は、ポリマー１と同様の方法により重合を行った。【０１６９】
次に、得られたブロック共重合体に、上記水添触媒をブロック共重合体の質量に対してチタンとして９４ｐｐｍ添加する以外は、ポリマー１と同様に水添反応を行い、水添ブロック共重合体（以下、ポリマー８と称する）を得た。水添率は８５％であった。【０１７０】
＜ポリマー９＞
ｎ−ブチルリチウムの供給量を０．０４８質量％添加とし、１段目に供給するスチレンを４質量部、２段目に供給するブタジエンを７８質量部、スチレンを１４質量部、ブタジエンの添加時間を１０分間、３段目に供給するスチレンを４質量部に変えること以外は、ポリマー１と同様の方法により重合を行った。【０１７１】
次に、得られたブロック共重合体に、上記水添触媒をブロック共重合体の質量に対してチタンとして９６ｐｐｍ添加する以外は、ポリマー１と同様に水添反応を行い、水添ブロック共重合体（以下、ポリマー９と称する）を得た。水添率は８７％であった。【０１７２】
＜ポリマー１０＞
ｎ−ブチルリチウムの供給量を０．０６２質量％添加とし、１段目に供給するスチレンを２３質量部、２段目に供給するブタジエンを５０質量部、スチレンを５質量部、３段目に供給するスチレンを２２質量部に変えること以外は、ポリマー１と同様の方法により重合を行った。【０１７３】
次に、得られたブロック共重合体に、ポリマー１と同様に水添反応を行い、水添ブロック共重合体（以下、ポリマー１０と称する）を得た。水添率は８４％であった。【０１７４】
＜ポリマー１１＞
ｎ−ブチルリチウムの供給量を０．０５７質量％添加とし、１段目に供給するスチレンを１５質量部、２段目に供給するブタジエンを５１質量部、スチレンを１９質量部、ブタジエンの添加時間を３５分間、反応器内温は７５℃になる様に調整し、３段目に供給するスチレンを１５質量部に変えること以外は、ポリマー１と同様の方法により重合を行った。【０１７５】
次に、得られたブロック共重合体に、上記水添触媒をブロック共重合体の質量に対してチタンとして６５ｐｐｍ添加する以外は、ポリマー１と同様に水添反応を行い、水添ブロック共重合体（以下、ポリマー１１と称する）を得た。水添率は３４％であった。【０１７６】
＜ポリマー１２＞
１段目に供給するスチレンを１０質量部、２段目に供給するブタジエンを５７質量部、ブタジエンの添加時間を２５分間、３段目に供給するスチレンを１０質量部に変えること以外は、ポリマー１と同様の方法により重合を行った。【０１７７】
次に、得られたブロック共重合体に、上記水添触媒をブロック共重合体の質量に対してチタンとして３５ｐｐｍ添加する以外は、ポリマー１と同様に水添反応を行い、水添ブロック共重合体（以下、ポリマー１２と称する）を得た。水添率は９％であった。【０１７８】
＜ポリマー１３＞
１段目に供給するスチレンを９質量部、２段目に供給するブタジエンを６０質量部、スチレンを２２質量部、ブタジエンの添加時間を８分間、３段目に供給するスチレンを９質量部に変えること以外は、ポリマー１と同様の方法により重合を行った。【０１７９】
次に、得られたブロック共重合体に、上記水添触媒をブロック共重合体の質量に対してチタンとして８５ｐｐｍ添加する以外は、ポリマー１と同様に水添反応を行い、水添ブロック共重合体（以下、ポリマー１３と称する）を得た。水添率は７５％であった。【０１８０】
＜ポリマー１４＞
ｎ−ブチルリチウムの供給量を０．０６５質量％添加とし、１段目に供給するスチレンを１０質量部、２段目に供給するブタジエンを５０質量部、スチレンを３０質量部、ブタジエンの添加時間を４０分間、３段目に供給するスチレンを１０質量部に変え、反応器内温は９５℃、反応器内圧を０．５２ＭＰａになる様に調整すること以外は、ポリマー１と同様の方法により重合を行った。【０１８１】
次に、得られたブロック共重合体に、上記水添触媒をブロック共重合体の質量に対してチタンとして８５ｐｐｍ添加する以外は、ポリマー１と同様に水添反応を行い、水添ブロック共重合体（以下、ポリマー１４と称する）を得た。水添率は７０％であった。【０１８２】
＜ポリマー１５＞
ｎ−ブチルリチウムの供給量を０．０６２質量％添加とし、１段目に供給するスチレンを２０質量部、２段目に供給するブタジエンを６１質量部、スチレンを添加せず、３段目に供給するスチレンを１９質量部に変えること以外は、ポリマー１と同様の方法により重合を行った。【０１８３】
水添反応は行わず、ポリマー１５を得た。水添率は０％であった。【０１８４】
＜ポリマー１６＞
１段目に供給するスチレンを７．５質量部、２段目に供給するブタジエンを３０質量部、スチレンを５５質量部、ブタジエンの添加時間を７０分間、３段目に供給するスチレンを７．５質量部に変えること以外は、ポリマー１と同様の方法により重合を行った。【０１８５】
次に、得られたブロック共重合体に、上記水添触媒をブロック共重合体の質量に対してチタンとして９９ｐｐｍ添加する以外は、ポリマー１と同様に水添反応を行い、水添ブロック共重合体（以下、ポリマー１６と称する）を得た。水添率は９８％であった。得られた各ブロック共重合体の性状を、表１に示した。【０１８６】
＜ポリマー１７＞
ｎ−ブチルリチウムの供給量を０．０５７質量％添加とし、１段目に供給するスチレンを１０質量部、２段目に供給するブタジエンを５７質量部、ブタジエンの添加時間を２５分間、３段目に供給するスチレンを１０質量部添加した後に、第１ステップの前に添加したｎ−ブチルリチウム１ｍｏｌに対して、Ｎ，Ｎ’−ジメチルプロピレンウレア０．９ｍｏｌを添加した以外は、ポリマー１と同様の方法により重合を行った。【０１８７】
次に、得られたブロック共重合体に、上記水添触媒をブロック共重合体の質量に対してチタンとして８０ｐｐｍ添加する以外は、ポリマー１と同様に水添反応を行い、水添ブロック共重合体（以下、ポリマー１７と称する）を得た。水添率は５０％であった。【０１８８】
＜ポリマー１８＞
ＴＭＥＤＡをｎ−ブチルリチウム１モルに対して０．０５モル添加し、ｎ−ブチルリチウムの供給量を０．１０５質量部添加とし、１段目に供給するスチレンを１５質量部、２段目に供給するブタジエンを７０質量部、スチレンを添加せず、３段目に供給するスチレンを１５質量部加えた後に、ジメチルジクロロシランを添加した以外は、ポリマー１と同様の方法により重合を行った。水添反応は行わず、ポリマー１８を得た。水添率は０％であった。【０１８９】
＜ポリマー：ＥＶＡ＞
エチレン／酢酸ビニル共重合体（ＥＶＡ）：ＥＶ４６０（三井・デュポンポリケミカル株式会社、商品名、ＶＡ含有量１９％）【０１９０】
【表１】
2015170739.tif 000002
【０１９１】
〔実施例１〕
４００ｇのコロイダルインデックス（Ｃｉ値）が０．３６、飽和分が５．４質量％、芳香族分が５２．７８質量％、レジン分が２０．６９質量％、アスファルテン分が２１．１３質量％）のストレートアスファルト（歴世礦油製（韓国））を７５０ｃｃの容器に入れ、容器を１８０℃のオイルバスに浸漬し、ストレートアスファルトを完全溶解させた。【０１９２】
次に、回転速度３０００ｒｐｍでストレートアスファルトをホモミキサーで攪拌しながら、上述のようにして得られたブロック共重合体（ポリマー１）１４ｇを、少しずつストレートアスファルト中に添加した。添加が終了したら、攪拌速度を６０００ｒｐｍに上げ、３０分間混練してアスファルト組成物を得た。得られた各アスファルト組成物の物性を、表２に示した。【０１９３】
〔実施例２〜９、比較例１〜８〕
下記表２に示すように、所定のポリマーを用い、それぞれのブロック共重合体とアスファルトとの比率を実施例１と同等にし、実施例１と同様の混練方法により、アスファルト組成物を得た。得られた各アスファルト組成物の物性を、表２に示した。なお、コロイダルインデックス（Ｃｉ値）が０．３６のアスファルトとしては、韓国の歴世礦油製、ストアス６０−８０を用いた。【０１９４】
〔実施例１０〕
下記表２に示すように、ポリマー６を８ｇ、ポリマー１８を８ｇ添加する以外は、実施例１と同様の混練方法により、アスファルト組成物を得た。得られた各アスファルト組成物の物性を、表２に示した。【０１９５】
〔実施例１１〕
下記表２に示すように、ポリマー１７を１２ｇ、ＥＶＡポリマーを４ｇ添加する以外は、実施例１と同様の混練方法により、アスファルト組成物を得た。得られた各アスファルト組成物の物性を、表２に示した。【０１９６】
〔実施例１２〕
下記表２に示すように、ポリマー６を１４ｇ添加後に、硫黄をアスファルト組成物中に０．１質量％添加し、添加後に１２０分間撹拌して、１６０℃１２時間養生し、アスファルト組成物を得た以外は実施例１と同様にアスファルト組成物を作製した。得られた各アスファルト組成物の物性を、表２に示した。【０１９７】
〔実施例１３〕
下記表２に示すように、ポリマー６を８ｇ、ポリマー１８を８ｇ添加後に、ポリリン酸（キシダ化学社製）をアスファルト組成物中に０．２質量％添加した以外は実施例１２と同様にアスファルト組成物を作製した。得られた各アスファルト組成物の物性を、表２に示した。【０１９８】
【表２】
2015170739.tif 000003
【０１９９】
〔実施例１４〜１６、比較例９〜１１〕
下記表３に示すように、所定のポリマーを用い、それぞれのブロック共重合体とアスファルトとの比率に従い、実施例１と同様の混練方法により、アスファルト組成物を得た。得られた各アスファルト組成物の物性を、表３に示した。なお、コロイダルインデックス（Ｃｉ値）が０．５（飽和分：１０．６質量％、芳香族分：４３．１質量％、レジン分：２３．６質量％、アスファルテン分：２２．６質量％）のアスファルトとしては、Caladium Middle East FZE製、ストアス６０−７０を用い、コロイダルインデックス（Ｃｉ値）が０．２８（飽和分：４．５２質量％、芳香族分：５９．１６質量％、レジン分：１９．０６質量％、アスファルテン分：１７．２７質量％）のアスファルトとしては、ＪＸ日鋼日石エネルギー株式会社根岸製油所製、ストアス６０−８０を用い、コロイダルインデックス（Ｃｉ値）が０．５５のアスファルトとしては、Petro Chem製、ストアス７０−８０を用いた。なお、コロイダルインデックス（Ｃｉ値）が０．３６のアスファルトとしては、上記同様のものを用いた。【０２００】
〔実施例１７〜２０〕
下記表３に示すように、実施例１７と実施例２０のアスファルトには、コロイダルインデックス（Ｃｉ値）が０．４１（飽和分：７．４質量％、芳香族分：４７．８質量％、レジン分：２３．３質量％、アスファルテン分：２１．５質量％）のアスファルトとしては、韓国製ストアス６０−８０、実施例１８と実施例１９のアスファルトには、コロイダルインデックス（Ｃｉ値）が０．４４（飽和分：５．８質量％、芳香族分：４２．４質量％、レジン分：２７．２質量％、アスファルテン分：２４．６質量％）のアスファルトとしては、インド産ストアス８０−１００を用い、実施例１７と実施例１９にはポリマー６、実施例１８にはポリマー４、実施例２０にはポリマー２を用いる以外は、実施例１と同様の混練方法により、アスファルト組成物を得た。得られた各アスファルト組成物の物性を、表２に示した。【０２０１】
【表３】
2015170739.tif 000004
【０２０２】
以上のとおり、本発明のアスファルト組成物は、軟化点、伸度が高く、溶融粘度が低く、また、耐わだち掘れ性、高温貯蔵安定性に優れることが示された。また、実施例１〜１３のアスファルト組成物は道路舗装用として、実施例１４〜１６のアスファルト組成物はアスファルト防水シート用として良好であり、それぞれ優れた加工性を有していることが分かった。【０２０３】
本出願は、２０１４年５月８日に日本国特許庁へ出願された日本特許出願（特願２０１４−０９６９５９）に基づくものであり、その内容はここに参照として取り込まれる。
【産業上の利用可能性】
【０２０４】
本発明のアスファルト組成物は、道路舗装用アスファルト、アスファルト防水シート等として、産業上の利用可能性があり、特に道路舗装用の分野で好適に利用できる。
【国際調査報告】
2015170739.tif 000005
2015170739.tif 000006
2015170739.tif 000007
2015170739.tif 000008